(57)【要約】【課題】折り畳んだ時のサイズをより小型化することができる扇風機を提供する。【解決手段】平面視で四辺形を呈する平板状に形成された扇風機本体１と、この扇風機本体１の一辺に設定された、一辺に平行な第１軸芯４と、第１軸芯４に対して回動可能な第１脚部２および第２脚部３と、第１脚部２と第２脚部３の開き角度を調整可能にし、扇風機本体１が一辺よりも上方に起立した姿勢と、一辺よりも下方に位置した姿勢に切り替え可能に構成した。【選択図】図１
0003216746.tif 000002
【実用新案登録請求の範囲】
【請求項１】
平面視で四辺形を呈する平板状に形成された扇風機本体と、
この扇風機本体の一辺に設定された、前記一辺に平行な第１軸芯と、
第１軸芯に対して回動可能な第１脚部および第２脚部と、
第１脚部と第２脚部の開き角度を調整可能にし、
扇風機本体が前記一辺よりも上方に起立した姿勢と、前記一辺よりも下方に位置した姿勢に切り替え可能に構成したことを特徴とする扇風機。
【請求項２】
前記第１脚部の先端側は、側面視で前方側に屈曲していることを特徴とする請求項１に記載の扇風機。
【請求項３】
前記扇風機本体は、前記第１脚部の前方側に当接可能であることを特徴とする請求項１又は２に記載の扇風機。
【請求項４】
前記第１脚部の先端側と第２脚部の先端側の開き角度を規制するための規制部材を設けていることを特徴とする請求項１〜３のいずれか１項に記載の扇風機。
【請求項５】
前記扇風機本体は、第１軸芯と並行に設定された第２軸芯周りに回動可能に取り付けられ、第２軸芯は、前記第１軸芯よりも前方に設定されることを特徴とする請求項１〜５のいずれか１項に記載の扇風機。
【考案の詳細な説明】
【技術分野】
【０００１】
本考案は、折り畳み収納可能な扇風機に関する。
【背景技術】
【０００２】
かかる扇風機として、下記特許文献に開示される扇風機が知られている。この扇風機は、平板状のケースと、ケースの内部に収容された電動機と、その電動機により駆動される軸流型の羽根車とを有するファン部と、床面上に載置される平板状のベース部と、ケースの左右両側にて回動可能に取り付けられるとともに、ベース部の左右両側にて揺動自在に支持された一対のアームを有するフレーム部とを備え、ベース部から一対のアームが立ち上がってファン部を掲げる自立姿勢と、一対のアームとケースとがベース部と平行になり全体として平板状をなす折り畳み姿勢との間で変形可能に構成されている（特許文献１の要約の解決手段）。かかる構成により、扇風機を使用しないときは全体として平板状に折り畳むことができ、利便性が高まる。
【先行技術文献】
【特許文献】
【０００３】
【特許文献１】実用新案登録３１９１８７１号
【考案の概要】
【考案が解決しようとする課題】
【０００４】
しかしながら、上記扇風機は、使用時も収納時も扇風機本体の高さはほぼ同じであり、折り畳んだ時の高さに関してコンパクトにしたいという要望があった。
【０００５】
本考案は上記実情に鑑みてなされたものであり、その課題は、折り畳んだ時のサイズをより小型化することができる扇風機を提供することである。
【課題を解決するための手段】
【０００６】
上記課題を解決するため本考案に係る扇風機は、
平面視で四辺形を呈する平板状に形成された扇風機本体と、
この扇風機本体の一辺に設定された、前記一辺に平行な第１軸芯と、
第１軸芯に対して回動可能な第１脚部および第２脚部と、
第１脚部と第２脚部の開き角度を調整可能にし、
扇風機本体が前記一辺よりも上方に起立した姿勢と、前記一辺よりも下方に位置した姿勢に切り替え可能に構成したことを特徴とするものである。
【０００７】
かかる構成による扇風機の作用・効果を説明する。扇風機本体は平面視で四辺形の平板状に形成される。四辺形とは、正方形や長方形などである。四辺形の一辺に第１軸芯が設定されており、それぞれ、第１脚部と第２脚部が回動可能に取り付けられる。第１脚部と第２脚部は開き角度を調整可能であり、使用するときは、２つの脚部を開くことができ、使用しないときは脚部を閉じてコンパクトにすることができる。また、扇風機本体は、一辺よりも上方に位置した起立姿勢と下方に位置した姿勢に切り替え可能である。従って、使用しないときは、扇風機本体が下方に位置した姿勢にすれば、扇風機全体の高さを低く抑えることができる。その結果、折り畳んだ時のサイズをより小型化することができる扇風機を提供することができる。
【０００８】
本考案に係る前記第１脚部の先端側は、側面視で前方側に屈曲していることが好ましい。
【０００９】
これにより、第１脚部と第２脚部を閉じた状態にしても、扇風機を立てておくことができる。
【００１０】
本考案に係る前記扇風機本体は、前記第１脚部の前方側に当接可能であることが好ましい。
【００１１】
かかる構成によれば、扇風機本体を一辺により下方に位置させた場合に、安定した状態で保持させることができる。
【００１２】
本考案において、前記第１脚部の先端側と第２脚部の先端側の開き角度を規制するための規制部材を設けていることが好ましい。
【００１３】
かかる構成によれば、第１脚部と第２脚部を安定した状態で開くことができ、扇風機本体を安定して保持することができる。
【００１４】
本考案において、前記扇風機本体は、第１軸芯と並行に設定された第２軸芯周りに回動可能に取り付けられ、第２軸芯は、前記第１軸芯よりも前方に設定されることが好ましい。
【００１５】
かかる構成により、第１脚部と第２脚部の開き状態を保持したままでも、扇風機本体の姿勢を切り替えることが可能になる。
【図面の簡単な説明】
【００１６】
【図１】扇風機の使用状態を示す外観斜視図
【図２】扇風機の使用状態を示す別の外観斜視図
【図３】図１の扇風機の使用状態を示す側面図
【図４】図２の扇風機の使用状態を示す側面図
【図５】脚部を閉じた状態を示す外観斜視図
【図６】図５の扇風機の側面図
【図７】図５の扇風機においてファンを回転した状態を示す図
【図８】第１軸芯と第２軸芯の配置を示す部分断面図
【図９】扇風機を横置きにした状態での使用例を示す図
【図１０】洗濯物の乾燥用としての使用例を示す図
【考案を実施するための形態】
【００１７】
本考案に係る扇風機の好適な実施形態を図面を用いて説明する。図１は、扇風機の使用状態を示す外観斜視図である。図２は、扇風機の使用状態を示す別の外観斜視図である。図３は、図１の側面図であり、図４は、図２の側面図である。なお、本明細書において前方側・後方側は説明の便宜上用いるものであり、実際にユーザーが使用する側を前方側と固定するものではない。
【００１８】
図１に示すように、扇風機は扇風機本体１と、第１脚部２と第２脚部３を備えている。扇風機本体１は、正面から見てほぼ正方形の本体部１０とその中央部にファン１１を有している。正面視の形状は正方形に限定されるものではなく、長方形などの四辺形であってもよい。本体部１０の内部には、ファン１１を駆動するためのモーター、駆動回路、制御回路などが設けられている。図３の側面図からも分かるように扇風機本体１は、前後方向の厚さが薄く平板状に形成されている。
【００１９】
第１脚部２は前方側に、第２脚部３は後方側に配置される。第１脚部２と第２脚部３は、金属製のパイプで形成され、コの字状を呈している。扇風機を使用するときは、図３に示すように、第１脚部２と第２脚部３は所定角度開いた逆Ｖ字形状となっている。第１脚部２と第２脚部３は、第１軸芯４の周りに回動可能に軸支されている。第１脚部２は水平に設定されており、正方形を呈する扇風機本体１の一辺と平行である。
【００２０】
第１脚部２と第２脚部３の開き角度を規制するためにベルト５（規制部材に相当）が設けられている。ベルト５の長手方向の両端に面ファスナーが設けられており、第１脚部２と第２脚部３が必要以上に開かないように規制することができる。これにより、安定した状態で扇風機本体１を保持することができる。なお、開き角度の大きさは、ベルト５の長さにより設定される。ベルト５の固定は、面ファスナーのほかに、ボタンで留める方式や、面ファスナーとボタンの組み合わせなど適宜の方法を採用することができる。また、ベルト５の長さや開き角度を調整できるようにしてもよい。
【００２１】
扇風機を操作するためのリモコン６が設けられており、使用しないときは本体部１０の表面に磁石により保持させておくことができる。
【００２２】
扇風機本体１は、第２軸芯１２（図８参照）まわりに回動可能に軸支されている。図１及び図３は、扇風機本体１が第１軸芯４よりも上方に起立した姿勢で保持されており、図２及び図４は、扇風機本体１が第１軸芯４よりも下方に位置した姿勢で保持されており、扇風機本体１の姿勢や高さを切り替えることができる。
【００２３】
図４に示すように、扇風機本体１を下方に位置させたとき、扇風機本体１が第１脚部２に当接する。これにより、安定した姿勢で扇風機本体１を保持することができる。
【００２４】
図５及び図６は、第１脚部２と第２脚部３を閉じた状態を示している。第１脚部２は、下部が前方側に屈曲した屈曲部２０を有しており、これにより、第１脚部２と第２脚部３を閉じた状態にしても安定した状態で扇風機を立てておくことができる。扇風機を使用しないときは、この状態で収容しておくこともできるし、図５に示す姿勢で扇風機１を使用することもできる。
【００２５】
図７は、ファン１１が首振りをした状態を示す。ファン１１の回転軸は垂直方向に設定されている。図１や図２の姿勢においても首振りを行うことができる。首振りの角度は適宜設定することができる。
【００２６】
図８は、第１脚部２と第２脚部３の回転中心である第１軸芯４と、扇風機本体１の回転中心である第２軸芯１２の関係を示している。図８は、第１脚部２と第２脚部３が閉じた状態の断面図である。第２軸芯１２は、第１軸芯４よりも前方側かつ若干上方側に位置している。かかる配置により、図６のような状態にした場合、第１脚部２と第２脚部３と扇風機本体１を密着させることができ、前後方向の厚みを抑えてコンパクトにすることができる。図１に示すように、扇風機本体１の表面には垂直方向に溝１３が形成されており、図６の折り畳み状態で、溝１３に第１脚部２が入り込むことができ、安定した姿勢で保持することができるとともに、前後方向の厚みも抑制することができる。さらに、前後方向の厚みを抑えてコンパクトにすることができるので、最初から組み立てた状態で商品を提供することができ、ユーザーの側で組み立てが不要になり利便性が高まる。
【００２７】
図９は、扇風機を横置きにした状態での使用例である。図１０は、扇風機本体１を上向きにして、室内での洗濯物の乾燥用として使用した例を示す。
【００２８】
＜別実施形態＞
本実施形態では、扇風機本体１は、図３に示す起立姿勢と図４に示す姿勢とを切り替え可能であるが、取りうる姿勢は上記の２カ所のみに限定されるものではなく、複数個所にて保持可能に構成してもよい。また、それぞれの位置においてクリックを設けてもよい。
【符号の説明】
【００２９】
１        扇風機本体
２        第１脚部
３        第２脚部
４        第１軸芯
５        ベルト
１０      本体部
１１      ファン
１２      第２軸芯
２０      屈曲部
【図１】
0003216746.tif 000003
【図２】
0003216746.tif 000004
【図３】
0003216746.tif 000005
【図４】
0003216746.tif 000006
【図５】
0003216746.tif 000007
【図６】
0003216746.tif 000008
【図７】
0003216746.tif 000009
【図８】
0003216746.tif 000010
【図９】
0003216746.tif 000011
【図１０】
0003216746.tif 000012
【手続補正書】
【提出日】平成30年4月26日(2018.4.26)
【手続補正１】
【補正対象書類名】実用新案登録請求の範囲
【補正対象項目名】請求項５
【補正方法】変更
【補正の内容】
【請求項５】
前記扇風機本体は、第１軸芯と並行に設定された第２軸芯周りに回動可能に取り付けられ、第２軸芯は、前記第１軸芯よりも前方に設定されることを特徴とする請求項１〜４のいずれか１項に記載の扇風機。